【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
液体中に混在する磁性体粒子を、磁力作用を利用して液体から濾過除去する磁気フィルタ装置であって、
被処理液体中に混在する磁性体粒子を濾過する磁性フィルタ手段と、
この磁性フィルタ手段に磁場を印加する磁場印加手段と、
前記磁性フィルタ手段に被処理液体を導入・排出する液体処理手段とを備えてなり、
被処理液体の濾過処理工程において、前記磁場印加手段により前記磁性フィルタ手段に磁場を印加するとともに、前記磁性フィルタ手段の洗浄工程において、前記磁場印加手段により前記磁性フィルタ手段の磁場を印加解除するように構成されている
ことを特徴とする磁気フィルタ装置。
【請求項２】
前記磁性フィルタ手段は、環状断面を有する筒状体の形態とされた処理容器と、この処理容器内に充填された磁性体からなる多数のフィルタ部材とを備え、
前記処理容器の中央空間に前記磁場印加手段が配置されて、この磁場印加手段により前記処理容器内のフィルタ部材に印加される磁場の強さが均一になるように構成されている
ことを特徴とする請求項１に記載の磁気フィルタ装置。
【請求項３】
前記磁性フィルタ手段の処理容器は、円環状断面を有する円筒体の形態とされるとともに、この処理容器の中央の円筒状空間に、円柱状の前記磁場印加手段が配置されている
ことを特徴とする請求項２に記載の磁気フィルタ装置。
【請求項４】
前記磁場印加手段は、永久磁石を磁場印加源として備え、
この磁場印加手段は、前記磁性フィルタ手段の処理容器の中央の円筒状空間内において、磁性フィルタ手段の軸線方向へ移動可能とされて、その軸線方向位置により、前記磁性フィルタ手段のフィルタ部材に印加される磁場の強さが制御調整される構成とされている
ことを特徴とする請求項３に記載の磁気フィルタ装置。
【請求項５】
前記磁場印加手段は、複数の永久磁石とヨークが交互に積層状に配置されてなるとともに、隣接する永久磁石は、その間に介在配置されるヨークを介して同じ極性となるように対向配置される構成とされている
ことを特徴とする請求項４に記載の磁気フィルタ装置。
【請求項６】
前記磁場印加手段は、複数の永久磁石が積層状に配置されてなるとともに、隣接する永久磁石は、同じ極性となるように対向配置される構成とされている
ことを特徴とする請求項４に記載の磁気フィルタ装置。
【請求項７】
前記磁場印加手段は、電磁石を磁場印加源として備え、
この磁場印加手段は、被処理液体の濾過処理工程において、前記電磁石に電流が印加されるとともに、前記磁性フィルタ手段の洗浄工程において、前記電磁石の電流が印加解除されるように構成されている
ことを特徴とする請求項３に記載の磁気フィルタ装置。
【請求項８】
前記磁性フィルタ手段の前記処理容器の軸方向両端部に被処理液体を導入・排出する導入排出口をそれぞれ備え、
前記液体処理手段は、前記処理容器の両導入排出口に連通する処理配管にそれぞれ設けられた一対の方向制御弁を備え、
これら一対の方向制御弁が相互に対応して切替え操作されることにより、前記処理容器内のフィルタ部材に対する被処理液体の流れ方向が、被処理液体の濾過処理工程と磁性フィルタ手段の洗浄工程において逆方向となるように構成されている
ことを特徴とする請求項２に記載の磁気フィルタ装置。
【請求項９】
前記一対の方向制御弁のうち、少なくとも前記磁性フィルタ手段の洗浄工程において下流側となる方向制御弁は、前記処理容器の排出側導入排出口の直近位置に配置されている
ことを特徴とする請求項８に記載の磁気フィルタ装置。
【請求項１０】
前記液体処理手段および磁場印加手段を相互に連動して制御する制御手段を備える
ことを特徴とする請求項１に記載の磁気フィルタ装置。
【請求項１１】
前記磁性フィルタ手段における被処理液体の濾過効率を測定して磁性フィルタ手段の洗浄時期を判定する洗浄時期判定手段を備え、
前記制御手段は、前記洗浄時期判定手段の判定結果に従って、被処理液体の濾過処理工程において、前記磁場印加手段により前記磁性フィルタ手段に磁場を印加するとともに、前記磁性フィルタ手段の洗浄工程において、前記磁場印加手段により前記磁性フィルタ手段の磁場を印加解除するように、前記液体処理手段および磁場印加手段を相互に連動して制御する
ことを特徴とする請求項１０に記載の磁気フィルタ装置。
【請求項１２】
前記洗浄時期判定手段は、被処理液体の濾過処理工程において、前記磁性フィルタ手段の処理容器の導入側の導入排出口近傍の被処理液体の圧力を計測する圧力センサを備え、この圧力センサの計測値が設定値以上になると、磁性フィルタ手段の洗浄工程であると判定するように構成されている
ことを特徴とする請求項１１に記載の磁気フィルタ装置。
【請求項１３】
前記洗浄時期判定手段は、被処理液体の濾過処理工程において、前記磁性フィルタ手段の処理容器で濾過処理された被処理液体の排出量を計測する排出量計測手段を備え、この排出量計測手段の計測値が設定値以下になると、磁性フィルタ手段の洗浄工程であると判定するように構成されている
ことを特徴とする請求項１１に記載の磁気フィルタ装置。
【請求項１４】
前記排出量計測手段は、前記処理容器で濾過処理された被処理液体を流入貯留するとともに、この貯留した被処理液体を流出供給するバッファタンクと、このバッファタンクの液面高さを計測する液面センサとを備えてなり、この液面センサの計測値が設定値以下になると、磁性フィルタ手段の洗浄工程であると判定するように構成されている
ことを特徴とする請求項１３に記載の磁気フィルタ装置。
【請求項１５】
前記排出量計測手段は、前記処理容器で濾過処理された被処理液体の排出量を計測する流量センサの形態とされ、この流量センサの計測値が設定値以下になると、磁性フィルタ手段の洗浄工程であると判定するように構成されている
ことを特徴とする請求項１３に記載の磁気フィルタ装置。
【請求項１６】
研削盤やホーニング盤等の工作機械の加工部に供給されるクーラントの配管経路途中に配置されて、前記加工部から還流する使用済みのクーラントを濾過清浄化するクーラント浄化装置であって、
還流する使用済みのクーラント中に混在する磁性体金属からなる金属粉を、磁力作用を利用してクーラントから濾過除去する磁気フィルタ手段と、
この磁気フィルタ手段で濾過除去されたクーラントを含む金属スラッジを圧縮空気により脱液して固形化する脱液・固形化手段とを備えてなり、
前記磁気フィルタ手段は、請求項１から１５のいずれか一つに記載の磁気フィルタ装置である
ことを特徴とする工作機械のクーラント浄化装置。
【請求項１７】
前記クーラントの配管経路途中の供給部位に配置される
ことを特徴とする請求項１６に記載の工作機械のクーラント浄化装置。
【請求項１８】
前記クーラントの配管経路途中の還流部位に配置される
ことを特徴とする請求項１６に記載の工作機械のクーラント浄化装置。
【請求項１９】
複数の前記磁気フィルタ手段が並列に配置されるとともに、これら磁気フィルタ手段と単一の脱液・固形化手段が選択的に配管接続可能とされて、
前記複数の磁気フィルタ手段のうちの一つが順次前記脱液・固形化手段と接続されて、同時に連動する構成とされている
ことを特徴とする請求項１６に記載の工作機械のクーラント浄化装置。
【請求項２０】
前記脱液・固形化手段と連動して駆動される磁気フィルタ手段以外の他の前記磁気フィルタ手段が、洗浄用のクーラントを供給する洗浄用クーラント供給手段として機能する構成とされている
ことを特徴とする請求項１９に記載の工作機械のクーラント浄化装置。
【請求項２１】
前記脱液・固形化手段は、底部にフィルタ体を敷設してなる密閉可能な加圧室と、この加圧室内に含液スラッジを供給するスラッジ供給手段と、前記加圧室の上部から加圧室内に圧縮空気を導入供給する圧縮空気供給手段とを備えてなり、
前記フィルタ体は、無数の通液孔を有する網状体で構成されるとともに、この網状体の前記通液孔の目開き寸法が、前記含液スラッジ中の濾過除去対象物質が通過し得る大きさに設定されてなり、
前記圧縮空気供給手段により加圧室内に導入される圧縮空気が前記含液スラッジを脱液する脱液工程の初期段階において、前記含液スラッジ中の濾過除去対象物質が前記フィルタ体上に堆積して前記フィルタ体の上層フィルタ部を形成するように構成されている
ことを特徴とする請求項１６に記載の工作機械のクーラント浄化装置。
【請求項２２】
前記フィルタ体を構成する前記網状体の通液孔の目開き寸法は、前記含液スラッジ中の濾過除去対象物質が通過し得る大きさで、かつ、前記圧縮空気による脱液工程の初期段階において、前記含液スラッジ中の濾過除去対象物質が前記フィルタ体上に堆積し得る範囲内で可及的に小さく設定されている
ことを特徴とする請求項２１に記載の工作機械のクーラント浄化装置。
【請求項２３】
前記フィルタ体は、前記網状体を構成する薄板状のフィルタ部材と、このフィルタ部材を分離可能に載置保持する保持板とからなる積層構造とされている
ことを特徴とする請求項２２に記載の工作機械のクーラント浄化装置。
【請求項２４】
前記フィルタ部材が金網であることを特徴とする請求項２３に記載の工作機械のクーラント浄化装置。
【請求項２５】
前記保持板は、圧縮空気による脱液工程において、圧縮空気によって生じる荷重を負担し得る強度を有するとともに、前記フィルタ部材により濾過されて落下する液体を抵抗なく通過させ得る開口面積を確保する多数の小孔が貫設されてなる
ことを特徴とする請求項２３に記載の工作機械のクーラント浄化装置。
【請求項２６】
前記脱液・固形化手段は、前記加圧室の下側位置に、前記加圧室内において固形化された前記含液スラッジのブリケットを前記加圧室外へ排出するブリケット排出手段を備える
ことを特徴とする請求項２１に記載の工作機械のクーラント浄化装置。
【請求項２７】
前記脱液・固形化手段は、前記圧縮空気供給手段、スラッジ供給手段およびブリケット排出手段を相互に連動して制御する制御手段を備える
ことを特徴とする請求項２６に記載の工作機械のクーラント浄化装置。
【請求項２８】
前記磁気フィルタ手段および脱液・固形化手段を相互に連動して制御する装置制御手段を備える
ことを特徴とする請求項１６に記載の工作機械のクーラント浄化装置。
【手続補正２】
【補正対象書類名】明細書
【補正対象項目名】００４４
【補正方法】変更
【補正の内容】
【００４４】
（１）被処理液体の濾過処理工程において、上記磁場印加手段が上記磁性フィルタ手段に磁場を印加するとともに、上記磁性フィルタ手段の洗浄工程において、上記磁場印加手段による上記磁性フィルタ手段の磁場が印加解除されることにより、被処理液体の濾過処理工程においては、磁気作用を利用した濾過方式の長所が効果的に生かされる一方、磁性フィルタ手段の洗浄工程においては、洗浄処理の弊害となる磁気作用が完全に解除されることにより、磁性フィルタ手段からの金属粉の脱離を容易にして有効な洗浄効果が得られる。
【手続補正３】
【補正対象書類名】明細書
【補正対象項目名】００７９
【補正方法】変更
【補正の内容】
【００７９】
一方、磁性フィルタ部１０のフィルタ部材１６、１６、…の洗浄工程において、三方弁３９の切替え操作により、圧縮空気源からの圧縮空気が導入排出口３７ａを介して密閉容器３０内に磁石ユニット２６の下側から導入されるとともに、三方弁３８の切替え操作により、密閉容器３０が導入排出口３６aおよび配管４０を介して大気に開放されると、磁石ユニット２６は、図２に示すように、上記圧縮空気の加圧力により密閉容器３０内の最上端天部位置Ｐmaxに上昇移動して、フィルタ部材１６、１６、…から完全に外れた位置に移動配置され、これにより磁石ユニット２６の磁力はフィルタ部材１６、１６、…にまったく作用せず、磁場が印加解除される。
【手続補正４】
【補正対象書類名】明細書
【補正対象項目名】００８１
【補正方法】変更
【補正の内容】
【００８１】
また、目的に応じて、三方弁３８、３９の切替え操作により、磁石ユニット２６を上記最下端底部位置Ｐminと最上端天部位置Ｐmaxとの間の任意の高さ位置に停止維持することにより、上記磁性フィルタ部１０のフィルタ部材１６、１６、…に印加される磁場の強さを調整することが可能である。
【手続補正５】
【補正対象書類名】明細書
【補正対象項目名】０１０７
【補正方法】変更
【補正の内容】
【０１０７】
一方、三方弁３９の切替え操作により、圧縮空気源からの圧縮空気が導入排出口３７ａを介して密閉容器３０内に磁石ユニット２６の下側から導入されるとともに、三方弁３８の切替え操作により、密閉容器３０が導入排出口３６aおよび配管４０を介して大気に開放されて、これにより、磁石ユニット２６が、図２に示すように、上記圧縮空気の加圧力により密閉容器３０内の最上端天部位置Ｐmaxまで上昇して、フィルタ部材１６、１６、…から完全に外れた位置に移動配置されることとなり、磁石ユニット２６の磁力がフィルタ部材１６、１６、…にまったく作用しない状態になり、磁場が印加解除される。
【手続補正６】
【補正対象書類名】明細書
【補正対象項目名】０１１１
【補正方法】変更
【補正の内容】
【０１１１】
（１）使用済みクーラントＣ´の濾過処理工程において、磁場印加部１１が磁性フィルタ部１０に磁場を印加するとともに、磁性フィルタ部１０の洗浄工程において、磁場印加部１１による磁性フィルタ部１０の磁場が印加解除されることにより、使用済みクーラントＣ´の濾過処理工程においては、磁気作用を利用した濾過方式の長所が効果的に生かされる一方、磁性フィルタ部１０の洗浄工程においては、洗浄処理の弊害となる磁気作用が完全に解除されることにより、磁性フィルタ部１０からの研削金属粉の脱離を容易にして有効な洗浄効果が得られる。